(57)【要約】【課題】画面上に映像を表示したい位置及び大きさを指示することにより、その位置及び大きさに映像を表示する表示装置を提供する。【解決手段】表示画面を有する表示部と、前記表示画面上に映像の表示領域を指示させる表示領域入力部と、前記表示領域入力部によって指示された表示領域を検出する表示領域検出部と、前記表示部に映像信号を出力する映像信号出力部と、前記表示領域検出部によって検出された表示領域に、前記映像信号出力部から出力される映像信号による映像を表示する映像表示制御部とを備える。【選択図】図２
2009109742.tif 000002
【特許請求の範囲】
【請求項１】
表示画面を有する表示部と、
前記表示画面上の表示領域を指示させる表示領域入力部と、
前記表示領域入力部によって指示された表示領域を検出する表示領域検出部と、
前記表示部に映像信号を出力する映像信号出力部と、
前記表示領域検出部によって検出された表示領域に、前記映像信号出力部から出力される映像信号による映像を表示する映像表示制御部と
を備えることを特徴とする表示装置。
【請求項２】
前記表示領域入力部は、前記表示画面上に表示する映像の表示位置と大きさを指示させることを特徴とする請求項１に記載の表示装置。
【請求項３】
前記映像信号出力部は、更に外部機器からの映像信号を入力する映像入力部を備え、前記映像表示制御部は、前記外部機器からの映像信号による映像を表示する際に、前記外部機器の電源を投入するように制御する外部機器電源制御部を備えることを特徴とする請求項１または２に記載の表示装置。
【請求項４】
前記映像表示制御部は、前記表示領域入力部によって指示された表示領域に、既に映像が表示されているか否かを判断する重複判断部をさらに備え、前記重複判断部が重複すると判断した場合は、既に表示されている映像に代えて、前記映像信号出力部から出力される別の映像信号による映像を表示することを特徴とする請求項１から３までのいずれか１項に記載の表示装置。
【請求項５】
前記映像表示制御部は、更に表示領域よりの表示解除入力を検出する機能を備え、表示解除を検出したとき、表示中の映像の表示を解除することを特徴とする請求項１から４までのいずれか１項に記載の表示装置。
【請求項６】
前記映像表示制御部が表示中の映像を解除する際に、表示中の映像が外部機器から入力される映像信号である場合に、前記外部機器の電源を切るように制御する外部機器電源制御部を備えることを特徴とする請求項５に記載の表示装置。
【請求項７】
複数に分割した表示画面を有する表示部と、
前記分割した表示画面ごとにそれぞれ表示映像を設定する表示映像設定部と、
前記複数に分割した表示画面の少なくとも１つを含む表示領域を指示させる表示領域入力部と、
前記表示領域入力部によって指示された表示領域を検出する表示領域検出部と、
前記分割した表示画面にそれぞれ設定された表示映像信号を出力する映像信号出力部と、
前記表示領域検出部によって検出された表示領域を含む表示画面に、前記表示映像設定部によって設定された表示映像に対する表示映像信号を映像信号出力部から出力させて映像を表示する映像表示制御部と
を備えることを特徴とする表示装置。
【請求項８】
表示画面上の表示領域を指示させる表示領域入力ステップと、
前記表示領域を検出する表示領域検出ステップと、
前記表示画面に表示する映像信号を出力する映像信号出力ステップと、
前記表示領域に、前記映像信号による映像を表示する映像表示制御ステップと、
を備えることを特徴とする表示方法。
【発明の詳細な説明】
【技術分野】
【０００１】
本発明は、表示画面上に動画または静止画のような映像を表示する表示装置及び表示方法に関し、特に映像の表示位置および大きさを任意に指示することが可能な表示装置に関する。
【背景技術】
【０００２】
テレビ受像機、パソコン、ゲーム機器において、表示画面上に子画面を表示する、いわゆるピクチャインピクチャ（以下、ＰＩＰ（picture-in-picture）という）が公知である。そして、子画面の表示位置及び大きさをユーザが任意に指示できるようにするものも公知である。
【０００３】
例えば、特許文献１は、マウスを操作してポインタをモニタ上の第２映像の右下角に合せ、そして、マウスを操作してポインタを所望の位置に移動させると、第２映像の右下角が移動したポインタの位置に来るように表示データを算出して、第２映像の大きさや上下左右の比率を調整して第１映像に重畳するものである。これにより、ＰＩＰの映像処理を行うことができる。
【０００４】
また、特許文献２は、テレビ会議装置のモニタの画面構成を利用者側で変更でき、撮影アングルの制約に縛られず会議が自由に行えるようにするものである。そのため、テレビ会議装置のモニタに主画面と、その内側に表示される補助映像からなるＰＩＰ方式の装置において、補助映像の大きさを指定する縮小率データ及び補助映像の表示位置を指定する合成位置データを入力する入力手段を備える。テレビ会議装置は入力された縮小率データに基づいて映像を縮小し、縮小した映像を合成位置データに基づいて指定された位置で映像合成するものである。これにより、縮小された補助映像を任意の位置に移動することができる。
【０００５】
また、特許文献３は、ＰＩＰの表示位置を簡単に指定できるようにするものであり、子画面の表示範囲を規定するバーを表示させ、そのバーの中に、子画面の大きさを変更する部分、枠の太さを変更する部分、子画面の位置を変更する部分を備えるものである。
【特許文献１】特開平０３−１３２６９３号公報
【特許文献２】特開平０７−４６５６４号公報
【特許文献３】特開平１１−２０５６７０号公報
【発明の開示】
【発明が解決しようとする課題】
【０００６】
上記特許文献１では、ＰＩＰを起動させ、ポインタをモニタ上の第２映像の右下角に合せなければならない。また特許文献２では、ＰＩＰを起動させ、位置ポインタ、選択回路により新しい合成位置データ（座標データ等）を入力しなければならない。また特許文献３では、ＰＩＰを起動させ、子画面の大きさを変更したいとき、枠の太さを変更したいとき、子画面の位置を変更したときに応じて、それぞれ異なる部分をマウスでドラックする必要がある。
本発明は、上記特許文献１、３のように、子画面の一部にポインタまたはマウスを合せて子画面を操作したり、特許文献２のように合成位置データを入力したりするのではなく、表示画面上に映像を表示したい位置及び大きさを指示することにより、その位置及び大きさに映像を表示する表示装置を提供するものである。
【課題を解決するための手段】
【０００７】
本発明の表示装置は、上記課題を解決するため、表示画面を有する表示部と、前記表示画面上の表示領域を指示させる表示領域入力部と、前記表示領域入力部によって指示された表示領域を検出する表示領域検出部と、前記表示部に映像信号を出力する映像信号出力部と、前記表示領域検出部によって検出された表示領域に、前記映像信号出力部から出力される映像信号による映像を表示する映像表示制御部とを備える。
これにより、表示画面上に映像の表示領域を指示すると、その表示領域にＰＩＰ画面を表示することができる。従って、ユーザの直感により映像の表示位置及び大きさを操作することができ、操作を少なくすることができる。
【０００８】
また、本発明の表示装置は、実施形態において、前記表示領域入力部は、前記表示画面上に表示する映像の表示位置と大きさを指示させることが望ましい。
これにより、映像の表示位置及び大きさを指示させることができ、操作を少なくすることができ、ユーザが直感的に操作することができる。
【０００９】
また、本発明の表示装置は、実施形態において、前記映像信号出力部が更に外部機器からの映像信号を入力する映像入力部を備え、前記映像表示制御部が前記外部機器からの映像信号による映像を表示する際に、前記外部機器の電源を投入するように制御する外部機器電源制御部を備えることが望ましい。
これにより、ユーザは外部機器の操作を意識せずに、使用することが可能になる。しかも非常に多くの外部映像ソースを利用することが可能になる。また、ユーザの操作を少なくすることができるので、使用勝手がよくなる。
【００１０】
更に、本発明の表示装置は、実施形態において、前記映像表示制御部が前記表示領域入力部によって指示された領域に、既に映像が表示されているか否かを判断する重複判断部をさらに備え、前記重複判断部が重複すると判断した場合は、既に表示されている映像に代えて、前記映像信号出力部から得られる別の映像信号による映像を表示することが望ましい。
これにより、ユーザの操作回数を少なくして、素早く映像を切り換えることができるので、表示装置が使いやすくなる。
【００１１】
更に、本発明の表示装置は、実施形態において、前記映像表示制御部は、更に表示領域よりの表示解除入力を検出する機能を備え、表示解除を検出したとき、表示中の映像の表示を解除させることが望ましい。
これにより、ユーザの直感により表示解除を操作することができ、操作を少なくすることができる。
特に、実施形態において、前記映像表示制御部が表示中の映像を解除する際に、表示中の映像が外部機器から入力出される映像信号である場合に、前記外部機器の電源を切るように制御する外部機器電源制御部を備えることが望ましい。
これにより、電源のきり忘れによる無駄な消費電力をなくすことができる。
【００１２】
また、本発明の表示装置は、上記課題を解決するため、複数に分割した表示画面を有する表示部と、前記分割した表示画面ごとにそれぞれ表示映像を設定する表示映像設定部と、前記複数に分割した表示画面の少なくとも１つを含む表示領域を指示させる表示領域入力部と、前記表示領域入力部によって指示された表示領域を検出する表示領域検出部と、前記分割した表示画面にそれぞれ設定された表示映像信号を出力する映像信号出力部と、前記表示領域検出部によって検出された表示領域を含む表示画面に、前記表示映像設定部によって設定された表示映像に対する表示映像信号を映像信号出力部から出力させて映像を表示する映像表示制御部とを備える。
これにより、複数の分割した表画面にそれぞれ設定した映像を表示することができる。
【００１３】
本発明は、別の観点では、表示方法であって、表示画面上の表示領域を指示させる表示領域入力ステップと、前記表示領域を検出する表示領域検出ステップと、表示部に表示する映像信号を出力する映像信号出力ステップと、前記表示領域に、前記映像信号に夜映像を表示する映像表示制御ステップとを備える。
これにより、画面上の表示したい位置及び大きさに映像を表示することができる。
【発明の効果】
【００１４】
本発明の表示装置によれば、画面上に映像を表示したい位置及び大きさを指示することにより、その位置及び大きさに映像を表示することができる。
【発明を実施するための最良の形態】
【００１５】
以下、この発明の表示装置を実施形態に基づき詳細に説明する。
本発明の表示装置１は、例えばテレビ会議に使用されるモニタ用の表示装置であり、またプレゼンテーションに使用されるディスプレイである。その他にテレビ受像機の表示画面であり、ゲーム機器の表示画面であり、パソコンのモニタである。
図１に示すように、本発明の実施形態においては、表示装置は制御装置１と、タッチパネル搭載モニタ２と、外部機器３とから構成される。制御装置１、タッチパネル搭載モニタ２および外部機器３は、それぞれ相互に接続され、後述するように動作する。
タッチパネル搭載モニタ２は、画面全面に映像を表示し、かつその映像の中にＰＩＰ画面を表示する表示画面と、ユーザがＰＩＰ画面の表示位置及び大きさを指示するタッチパネルを備える。制御装置１は、タッチパネル搭載モニタ２からタッチパネルの操作情報を取得する。また制御装置１は、タッチパネル搭載モニタ２へＰＩＰ制御コマンドを送信する。更に、制御装置１は、外部機器３の電源のオンまたはオフを制御する制御信号を送信する。外部機器３はタッチパネル搭載モニタ２へ映像信号を出力する。
【００１６】
図２は、上記制御装置１のブロック図を示す。制御装置１は、中央演算部１１、内部記憶装置１２、外部記憶装置１３、シリアル通信処理部１４、タッチパネル操作処理部１５、外部機器制御部１６などから構成される。この制御装置１の主たる動作はタッチパネル搭載モニタ２のタッチパネル操作情報を取得し、解釈し、そしてタッチパネル搭載モニタ２にＰＩＰ画面を表示させる制御コマンドを送信することである。
中央演算部１１は、制御装置１の全体を制御する部分であり、例えばＣＰＵよりなり、外部記憶装置１３に記憶された制御装置のプログラムを読み取り、プログラムを実行することにより、制御装置１の動作を実現するための制御部分である。従って、中央演算部１１は、タッチパネル搭載モニタ２のタッチパネル操作をタッチパネル操作処理部１５で認識し、タッチパネル搭載モニタ２に対するＰＩＰ設定を行うシリアルコマンドを生成する。またタッチパネル搭載モニタ２のＰＩＰ設定状況に応じて、外部機器３の電源を制御するよう電源制御信号を生成し、外部機器制御部１６を制御する。
【００１７】
内部記憶部１２は、例えば、ＲＡＭよりなり、一時的にデータを格納する部分である。特に、本発明の表示装置のために使用される部分としては、タッチパネル操作情報記憶部１２ａ、ＰＩＰ表示状態憶部１２ｂ、外部機器電源制御情報記憶部１２ｃ、表示優先順情報記憶部１２ｄなどである。従って、映像表示制御部として機能する部分である。
タッチパネル操作情報記憶部１２ａは、タッチパネル搭載モニタ２の操作情報、例えば操作位置座標、四角や×印のような操作認識形状を記憶する。
ＰＩＰ表示状態記憶部１２ｂは、中央演算装置１１がタッチパネル搭載モニタ２からＰＩＰ画面を表示中か否か、表示中の場合はＰＩＰ画面の表示位置、大きさ及び表示映像情報を取得し、記憶する。
外部機器電源制御情報記憶部１２ｃは、複数の外部機器３の電源がオンかオフかの制御情報を記憶する。即ち、図３（ａ）に示すように、タッチパネル搭載モニタ２の外部入力端子に接続された外部機器と、その外部機器の電源状態を一覧表で記憶する。例えば、外部入力端子１（外部機器３Ａ）は電源ＯＮ、外部入力端子２（外部機器３Ｂ）は電源ＯＦＦ、・・・、外部入力端子Ｎ（外部機器３Ｎ）は電源ＯＦＦのように記憶する。図３（ａ）は一覧表の形式を示したが、外部機器電源制御情報記憶部１２ｃに記憶する形式は一覧表に限定されず、どのようなデータ形式であってもよい。
表示優先順情報記憶部１２ｄは、ＰＩＰ画面に表示する映像の表示優先情報を記憶し、例えば図３（ｂ）に示すように、優先順と映像信号を記憶する場所またはファイルの一覧表を記憶する。図３（ｂ）の一覧表は、例えば優先順１が外部入力端子１（外部機器３Ａ）であり、優先順２がコンテンツＡであり、・・・、優先順ｎが外部入力端子Ｎ（外部機器３Ｎ）を表す。コンテンツＡ〜Ｎはタッチパネル搭載モニタ２の内部記憶装置２２のコンテンツ情報記憶部２２ｂに記憶されているコンテンツを指す。また図３（ａ）と図３（ｂ）の外部入力端子１〜Ｎは同じ外部入力端子を意味している。このように、優先順位は外部機器と内部記憶装置２２のコンテンツを含め任意に設定することができる。図３（ｂ）に示した一覧表は、内部記憶部１２にどのようなデータ形式で記憶してもよい。
【００１８】
上記外部記憶装置１３は、例えばハードディスク（ＨＤＤ）のような大容量記憶装置であり、例えば本発明の表示装置を実現するためのプログラムを記憶する。
また、上記シリアル通信処理部１４は、この制御装置１に接続されるタッチパネル搭載モニタ２に対して、ＰＩＰ設定を行うための通信処理、及びタッチパネル搭載モニタ２よりＰＩＰ設定状態を取得するための通信処理を行う。ここではシリアル通信処理部１４としたが、パラレル通信処理部であってもよい。
上記タッチパネル操作処理部１５は、ユーザがタッチパネル搭載モニタ２のタッチパネル２９に接触して操作した座標位置を検出処理し、また操作した図形を認識処理する部分である。従って、タッチパネル操作処理部１５は中央演算部１１によって動作する部分であり、シリアル通信処理部１４を介して、この制御装置１に接続されているタッチパネル搭載モニタ２のタッチパネル２９から操作情報を取得し、その操作情報を整形して中央演算部１１に操作データとして送信する。このようにユーザの操作情報に従って、その位置及び大きさにＰＩＰ画面を表示してもよいが、ユーザの操作情報に従って予め定めた複数の位置及び大きさのＰＩＰ画面から最も近いＰＩＰ画面に表示するようにしてもよい。
外部機器制御部１６は、中央制御部１１からの指示に従い、外部機器の電源をオンまたはオフする制御信号を送信する。
【００１９】
図４は、上記タッチパネル搭載モニタ２のブロック図を示す。
図４に示すように、タッチパネル搭載モニタ２は、中央演算部２１、内部記憶装置２２、外部記憶装置２３、シリアル通信処理部２４、表示用・表示処理用のための一時記憶部２５、映像入力端子２６、各種処理部２７、入力インターフェース（入力Ｉ／Ｆ）２８、入力Ｉ／Ｆ２８に接続されるタッチパネル２９、表示処理部３１、表示用デバイス３２などからなる。
【００２０】
上記中央演算部２１は、マイクロプロセッサ（Microprocessor）、プログラミングすることができるＬＳＩ（Large Scale Integration）であるＦＰＧＡ（Field Programmable Gate Array）、特定用途のために設計、製造される集積回路であるＡＳＩＣ（Application Specific Integrated Circuit）、その他の演算機能を有する回路のいずれであってもよい。この中央演算部２１は、例えば外部記憶装置２３に記憶されたタッチパネル搭載モニタ２のプログラムを読み取り、プログラムを実行するための制御部分である。
内部記憶装置２２は、ＲＡＭよりなり、中央演算部２１によってアクセスされ、一時的にデータを記憶するワークメモリである。内部記憶装置２２は、各種処理部２７とバスで接続されていて、中央演算部２１を介さずに、データ転送を行うことができるＤＭＡ（Direct Memory Access）であってもよい。
【００２１】
内部記憶装置２２は、ＰＩＰ設定情報記憶部２２ａと、コンテンツ情報記憶部２２ｂと、再生情報記憶部２２ｃと、作業エリア２２ｄを備える。
ＰＩＰ設定情報記憶部２２ａは、現在のＰＩＰ画面に関して、設定値を記憶する。例えばＰＩＰ画面の基点座標位置データ、ＰＩＰ画面の表示サイズデータ、ＰＩＰ画面の再生ソースデータを一覧表にして記憶する。図５（ａ）は一覧表の一例を示し、１つ目のＰＩＰ画面は基点座標が（３０，４０）であり、表示サイズが（５０，１００）である。そして、再生ソースは外部入力端子１である。２つ目のＰＩＰ画面は基点座標が（１２０，２００）であり、表示サイズが（３８０，２３０）である。再生ソースはコンテンツＡである。このような設定情報は一例であり、ＰＩＰ画面の設定に応じて任意に設定可能である。コンテンツ情報記憶部２２ｂは、再生可能な静止画又は動画のような映像に関して、コンテンツ情報を記憶する。例えば、図５（ｂ）に示すように再生可能なコンテンツは、例えば動画のコンテンツＡ、静止画のコンテンツＢ、動画のコンテンツＣのようである。このコンテンツ情報記憶部２２ｂに記憶されるコンテンツ情報は、主として、本発明の表示装置にＰＩＰ画面の映像ソースとして使用されるものであるが、ＰＩＰ画面映像ソースに使用する以外に、表示用デバイス３２の画面全面に表示する映像ソースとして使用してもかまわない。この説明ではコンテンツ情報を内部記憶装置２２に記憶しているが、外部記憶装置２３に記憶してもよいし、フラッシュメモリ、ＲＯＭなどの記憶装置に記憶してもよい。
再生情報記憶部２２ｃは、再生するコンテンツが記憶されている場所又はファイルと現在の再生状態を記憶する。例えば、図５（ｃ）に示すように外部機器３Ａより外部入力端子１に入力される映像信号は再生状態であることを表している。コンテンツＡも再生状態であることを表している。そして、外部入力端子Ｎに入力される映像信号は再生状態でないことを表している。
図５（ａ）〜（ｃ）に示した一覧表は、内部記憶部２２にどのようなデータ形式で記憶してもよい。ここで、図３（ａ）、（ｂ）と、図５（ａ）〜（ｃ）の外部入力端子１〜ＮとコンテンツＡ〜Ｎは，それぞれ同じものを指している。
【００２２】
外部記憶装置２３は、データやプログラムを記憶する記憶装置であり、例えばハードディスクやフラッシュメモリなど不揮発記憶装置よりなる。外部記憶装置２３は、中央演算部２１によってデータアクセスされる。データを記憶するデータ記憶部と、プログラムを記憶するプログラム記憶部は異なる記憶方式に分かれているとよい。若しくは異なる記憶装置を使用して、それぞれ異なる記憶装置に記憶してもよい。プログラム記憶部は書換え可能であっても、書換え不可能であってもよい。
シリアル通信処理部２４は、制御装置１と信号を送受信する部分であり、制御装置１に接続されたシリアル通信路からシリアル通信信号を受け取り、デコ−ドを行い、バイナリデータ若しくは文字データへ変換を行って中央演算部２１に送る。また、中央演算部２１によって生成された文字データ若しくはバイナリデータを受け取り、エンコードを行い制御装置１に接続されたシリアル通信路へ送信する。また、本発明の実施形態では、シリアル通信路は２本あり、複数のディスプレイ装置をデイジーチェーン接続する。シリアル通信処理部２４は、パラレル通信処理部であってもよい。
【００２３】
表示用・表示処理用のための一時記憶部２５は、例えばフラッシュメモリやＲＡＭなどからなり、中央演算部２１と各種処理部２７が表示処理及び表示用加工処理を行うための一時記憶装置である。
映像入力端子２６は、映像入力端子１〜Ｎを備え、Ｎ個の外部機器３Ａ〜３Ｎに接続する端子であり、Ｎ個の外部機器３Ａ〜３Ｎから静止画又は動画のような映像信号を入力する。本発明の表示装置において、ＰＩＰ画面の映像ソースは内部記憶装置２２に記憶されたコンテンツでも、映像入力端子２６から入力される映像でもよく、これらが映像信号出力部となる。
入力する信号の形式は、（１）１線式のＹ／Ｃ信号、（２）２線式のＹ／Ｃ信号、（３）３線式のＹＵＶ信号、（４）３線式のＲＧＢ信号、（５）ＲＧＢ３線式信号に同期信号１線を加えた信号、（６）ＲＧＢ３線式信号に同期信号２線を加えた信号、（７）ＹＵＶ３線式信号に同期信号１線を加えた信号、（８）ＹＵＶ３線式信号に同期信号２線を加えた信号と、（９）上記（５）〜（８）をエンコードした信号（ＴＭＤＳなど）のいずれか1つである。
ここで、Ｙ／Ｃ信号とは輝度信号（Ｙ）と色信号（Ｃ）のコンポジット信号である。ディスプレイで表示する際にはＹ／Ｃ信号を分離して映像を再現する。またＹＵＶは、輝度信号（Ｙ）と、輝度信号と青色成分の差（Ｕ）と、輝度信号と赤色成分の差（Ｖ）の３つの情報で色を表すものである。ＲＧＢ信号は、色を赤（Ｒ）、緑（Ｇ）、青（Ｂ）の３つの組み合わせとして表現するものである。
【００２４】
各種処理部２７は、映像信号処理部２７ａ、映像信号出力処理部２７ｂ、スケーリング処理部２７ｃ、内部パターン制御部２７ｄなどである。
映像信号処理部２７ａは、入力された映像信号に対してＲＧＢ信号もしくはＹＵＶ信号と、水平同期信号及び垂直同期信号に分離する処理を行う。
映像信号出力処理部２７ｂは、入力された映像信号に対して、時間的、空間的にフィルタリングを行うことによって、映像に変更を加える処理を行う。
スケーリング処理部２７ｃは、処理を加えた映像信号を任意の拡大率を以って拡大又は縮小処理をする部分である。スケーリング処理部２７ｄは、１６：９の横長画面または４：３の通常画面のように画面の大きさ形状に合せた処理を行う。
内部パターン制御部２７ｄは、映像信号を入力することなしに、任意の映像及び同期信号を生成して、タッチパネル搭載モニタに送る機能及びこれを制御する機能を持つ部分である。ここで生成する内蔵パターンは、外部記憶部２３に記憶された特定パターンやメニュー、或いは情報であり、これらを使用して表示することができる。
【００２５】
入力Ｉ／Ｆ２８は、タッチパネル２９の入力部であり、中央演算部２１へ操作信号を送信する。
タッチパネル２９は、静電方式、電磁方式、抵抗方式、静電誘導方式、光方式、超音波方式その他全ての方式のタッチパネルあるいはタブレットを使用することができる。ここではこれらを総称してタッチパネルと言う。タッチパネル２９は、ユーザが接触して操作することにより、ＰＩＰ画面の表示位置（座標情報）、大きさ及び操作内容（入力情報）のような操作情報を検出することができるものであればよい。この発明では、タッチパネル２９は表示領域入力部として使用している。
表示処理部３１は、各種処理部２７及び一時記憶部２５から入力された信号を中央演算部２１により表示用デバイス３２が受信可能な形式に変換して出力する処理部である。
表示用デバイス３２は、ＣＲＴ、液晶表示装置、プラズマ表示装置、ＬＥＤ表示装置などの表示装置であり、いずれも表示装置でも使用することができる。入力信号の形式はＴＴＬ（transistor-transistor Logic）、ＬＶＤＳ（Low Voltage Differential Signaling）など何でもかまわない。表示用デバイス３２は、画面全面に映像を表示するとともに、この映像中にＰＩＰ画面を表示する。
【００２６】
外部機器３は、例えば、ＴＶチューナ、ＤＶＤプレーヤ、ＣＤプレーヤであり、表示用デバイス３２に、画面全面に表示するための映像信号またはＰＩＰ画面に表示するための映像信号を出力する。
【００２７】
次に、本発明の表示装置の使用形態について説明する。
第１の使用形態は、表示画面上にＰＩＰ画面を表示させる操作である。この使用形態ではユーザがタッチパネル搭載モニタに接触することにより、ＰＩＰ画面の表示位置及び大きさを指示して、映像を表示させる場合を説明する。
初めに、タッチパネル搭載モニタの表示画面全体に第1の映像が表示されている。第1の映像は、タッチパネル搭載モニタ２のコンテンツ情報記憶部２２ｂに記憶されている映像または外部機器３から出力される映像であり、静止画でも動画でも、或いは背景映像でもかまわない。また静止画の場合に、白一色、黒一色のような単一色の映像であってもかまわない。または第１の映像を表示していなくてもかまわない。また、例えば、非常に大きな表示画面があり、その表示画面のある領域に第１の映像を表示しているときに、第１の映像が表示されていない領域に第２の映像（即ち、ＰＩＰ画面）を表示する場合であってもよい。このように第1の映像を表示している表示画面に、または第１の映像を表示していない表示画面に、ユーザがＰＩＰ画面を表示したい位置及び大きさをタッチパネル２９に接触することにより入力する。ユーザが画面に触れる形式は、タッチパネルの形式に応じて、指またはペンによって行う。
【００２８】
図６（ａ）に示す場合は、ユーザが表示画面の右下にＰＩＰ画面を表示させるため、四角形または斜めの対角線を描いた。ユーザが描く四角形または対角線は、図６（ａ）に示すように必ずしも正確な四角形でなくてもよく、或いは四角形に近い楕円形や円形であってもよく、または対角線も直線でなくてよい。ユーザが描いた四角形や対角線はタッチパネル操作処理部１５によって四角形または対角線として認識される。しかし、タッチパネル操作処理部１５によって認識されないような四角形または対角線、或いはその他の形状は無効にされる。タッチパネル操作処理部１５によって認識された四角形または斜めの対角線が、ＰＩＰ画面の表示位置及び大きさを表す。
ユーザがタッチパネル２９に接触すると、タッチパネル２９の操作情報は入力Ｉ／Ｆ２８を介して中央演算部２１に送られ、文字コード若しくはバイナリーコードが生成される。この文字コード若しくはバイナリーコードはシリアル通信部２４を介して、制御装置１に送信される。
制御装置１ではシリアル通信部１４を介して受信したタッチパネル２９の操作情報からタッチパネル操作処理部１５が処理して、タッチパネル２９の操作位置座標を検出し、また操作図形を認識する。上記のようにユーザが描く四角形または対角線は、図６（ａ）に示すように正確な四角形または対角線ではないので、タッチパネル操作処理部１５が図形認識する。そして、表示画面または表示中の第１の映像に縦方向及び横方向に一致するように傾きを調整する。このようにして検出した操作位置座標及び操作図形情報は、中央演算部１１により、内部記憶部１２のタッチパネル操作情報記憶部１２ａに記憶される。
以上のように、ユーザがタッチパネルに接触した座標を検出し、図形を認識して、タッチパネル操作情報記憶部１２ａにそのまま記憶する外に、通常、ＰＩＰ画面は縦横比が９：１５の横長画面、または縦横比が４：３の通常のテレビ画面のように表示するので、横長画面またはテレビ画面のように認識図形を修正してもよい。
【００２９】
次に、制御装置１の中央演算部１１は、シリアル通信部１４及びタッチパネル搭載モニタ２のシリアル通信部２４を介して、タッチパネル搭載モニタ２の内部記憶部２２にあるＰＩＰ設定情報記憶部２２ａから現在のＰＩＰ設定情報を取得する。そして、制御装置１の中央演算部１１は、操作情報と現在のＰＩＰ設定情報に基づき、次に設定する内容のシリアルコマンドを生成し、タッチパネル搭載モニタ２に送信する（図６（ｂ）参照）。この場合に生成されるシリアルコマンドは、
「タッチパネルの操作情報が表示画面の右下に四角形又は対角線を描画であり、ＰＩＰ設定情報がＰＩＰ設定なしであるので、シリアルコマンドは表示画面右下にＰＩＰ画面を設定する」
である。
次に、ＰＩＰ画面に表示する映像ソースを表示優先順情報記憶部１２ｄより取得する。表示優先順情報は、図３（ｂ）に示す通りであり、優先順の高いコンテンツが表示される。優先順の高い映像ソースがタッチパネル搭載モニタ２のコンテンツ情報記憶部２２ｂに記憶されているコンテンツである場合は、そのコンテンツを読み出す。このコンテンツが表示用・表示処理用のための一時記憶部２５により一時記憶され、表示処理部３１を経て表示用デバイス３２により表示される。
【００３０】
しかし、外部機器３にあるソースの場合は、図３（ａ）に示す外部機器電源制御情報記憶部１２ｃに記憶されている電源情報を取得し、外部機器制御部１６を制御する。即ち、図３（ａ）に示す外部機器電源情報表により、読み出そうとする外部機器３の電源がオン状態か、オフ状態か読み出す。オフ状態である場合は、外部機器制御部１６は、その外部機器３の電源をオンにする制御信号を出力する（図６（ｃ）参照）。外部機器制御部１６によって生成された電源オンの制御信号は外部機器３に送信され、その外部機器３の電源をオンにする。
このようにして、外部機器３の電源をオンにすることにより、外部機器３の再生動作が開始され、外部機器３から映像信号が得られる。その映像信号はタッチパネル搭載モニタ２の映像入力端子２６を通して、表示用・表示処理用のための一時記憶部２５により一時記憶され、表示処理部３１を経て表示用デバイス３２により映像が表示される。
【００３１】
以上のようにして、本発明の表示装置は、ＰＩＰ画面の起動、ＰＩＰ画面の表示位置及び画面の大きさ、表示する映像ソースを一度に指示して、ＰＩＰ画面に映像を表示することができる。
このＰＩＰ画面に映像を表示する際に、ＰＩＰ設定情報部２２ａに記憶されたＰＩＰ設定情報に従って、各種処理部２７が映像処理する。即ち、映像信号処理２７ａは入力された映像信号をＲＧＢ信号若しくはＹＵＶ信号と、水平同期信号及び垂直同期信号に分離する。映像信号出力処理部２７ｂは入力された映像信号に対して、時間的・空間的にフィルタリング等を行い、映像に変更を加える。スケーリング処理部２７ｃは、処理を加えた映像信号を設定された拡大率を以って拡大又は縮小する。
【００３２】
第２の使用形態は、表示画面上に表示中のＰＩＰ画面を表示解除させる操作である。この第２の使用形態の説明において、特に説明のない部分は第１の使用形態と同じである。
初めに、第１の使用形態のような操作を行うことにより、ＰＩＰ画面を表示しているとする。ユーザは表示中のＰＩＰ画面を解除するため、ＰＩＰ画面上に×印を描く。×印を描く場合の入力方式は、タッチパネルの形式に応じて、指またはペンによって行う。
図７（ａ）に示す場合は、ユーザがＰＩＰ画面上に×印を描いた。×印以外にＰＩＰ画面の表示解除を意味するような入力、例えば、レとかーでもよい。或いは、表示中のＰＩＰ画面を表示画面外に移動させるような操作でもよい。
ユーザがタッチパネル２９に接触操作すると、タッチパネル２９の操作情報は制御装置１に送信され、制御装置１ではタッチパネル操作処理部１５が操作位置座標を検出し、操作図形を認識する。この場合、表示中のＰＩＰ画面上に×印が描画されたことを認識する。この操作位置座標及び操作図形情報は、中央演算部１１により、内部記憶部１２のタッチパネル操作情報記憶部１２ａに記憶される。
【００３３】
次に、制御装置１の中央演算部１１は、タッチパネル搭載モニタ２の内部記憶部２２にあるＰＩＰ設定情報記憶部２２ａから現在のＰＩＰ設定情報を取得する。そして、制御装置１の中央演算部１１は、操作情報と現在のＰＩＰ設定情報に基づき、次に設定する内容のシリアルコマンドを生成し、タッチパネル搭載モニタ２に送信する（図７（ｂ）参照）。この場合に生成されるシリアルコマンドは、
「タッチパネルの操作情報が表示画面の右下に表示中のＰＩＰ画面上に×印を描画であり、ＰＩＰ設定情報が画面右下にＰＩＰ画面を表示であるので、シリアルコマンドは表示画面右下のＰＩＰ画面を解除する」
である。
ここで、表示中のＰＩＰ画面の映像ソースを表示優先順情報記憶部１２ｄより取得する。表示優先順情報は、図３（ｂ）に示した通りである。表示中のＰＩＰ画面のソースがタッチパネル搭載モニタ２のコンテンツ情報記憶部２２ｂに記憶されているコンテンツの場合は、そのコンテンツの読み出しを停止する。これにより、ＰＩＰ画面が解除される。
【００３４】
しかし、表示中のＰＩＰ画面の映像ソースが外部機器３である場合は、外部機器電源制御情報記憶部１２ｃの電源情報に従い、外部機器制御部１６を制御する。即ち、図７（ｃ）に示すように読み出している外部機器３の電源をオフにする制御信号を出力する。外部機器制御部１６によって生成された電源オフの制御信号は外部機器３に送信され、その外部機器３の電源をオフにする。
このようにして、外部機器３の電源をオフにすることにより、外部機器３から映像信号は停止し、表示用デバイスでのＰＩＰ画面の表示は停止される。
【００３５】
第３の使用形態は、表示画面上に表示中のＰＩＰ画面の映像ソースを切り換える操作である。この第３の使用形態の説明において、特に説明のない部分は第１の使用形態と同じである。
初めに、第１の使用形態のような操作を行うことにより、外部機器３Ａから出力される映像信号をＰＩＰ画面に表示しているとする。ユーザはＰＩＰ画面に表示中の映像を別の映像に切り換えるため、表示中のＰＩＰ画面の周囲に沿って四角形（図８（ａ）参照）または表示中のＰＩＰ画面上に斜めの対角線を１本描いた。ユーザが描いた四角形は、ＰＩＰ画面の内側又は外側であってもよい。タッチパネル２９の操作情報は中央演算部２１から制御装置１に送られ、タッチパネル操作処理部１５がタッチパネル２９の操作位置座標及び操作図形を検出する。ここでは、表示中のＰＩＰ画面の周囲に沿って描かれた四角形または表示中のＰＩＰ画面上に描かれた斜めの対角線を検出する。即ち、タッチパネル２９によって操作された位置及び形状が、表示中のＰＩＰ画面に重なっていることを検出する。この操作情報は、中央演算部１１により、内部記憶部１２のタッチパネル操作情報記憶部１２ａに記憶される。
【００３６】
次に、制御装置１の中央演算部１１は、タッチパネル搭載モニタ２の内部記憶部２２にあるＰＩＰ設定情報記憶部２２ａから現在のＰＩＰ設定情報を取得する。そして、制御装置１の中央演算部１１は、操作情報と現在のＰＩＰ設定情報に基づき、次に設定する内容のシリアルコマンドを生成し、タッチパネル搭載モニタ２に送信する（図８（ｂ）参照）。この場合に生成されるシリアルコマンドは、
「タッチパネルの操作情報が表示画面の右下に表示中のＰＩＰ画面の周囲に四角形又は対角線を描画であり、ＰＩＰ設定情報が画面右下にＰＩＰ画面を表示であるので、シリアルコマンドは表示画面右下に表示中のＰＩＰ画面の映像を次の優先順の映像に入力を切り換える」
である。
ここで、ＰＩＰ画面に表示する映像ソースを表示優先順情報記憶部１２ｄより，優先順の高いソースを取得する。表示するソースがタッチパネル搭載モニタ２のコンテンツ情報記憶部２２ｂに記憶されているコンテンツである場合は、そのコンテンツを読み出して、これを表示用デバイス３２に表示する。
【００３７】
しかし、映像ソースが外部機器３Ｂである場合は、外部機器電源制御情報記憶部１２ｃの電源情報に従い、外部機器制御部１６を制御する。即ち、読み出そうとする外部機器３Ｂの電源が外部機器電源制御情報記憶部１２ｃにより、オフ状態であることが分かった場合は、外部機器制御部１６は、その外部機器３Ｂの電源をオンにする制御信号を出力する（図８（ｃ）参照）。外部機器制御部１６によって生成された電源オンの制御信号は外部機器３Ｂに送信され、その外部機器３Ｂの電源をオンにして、再生を開始させる。
このようにして、外部機器３Ｂの電源をオンにすることにより、外部機器３Ｂから映像信号が得られ、その映像信号はタッチパネル搭載モニタ２の映像入力端子を通して、表示用・表示処理用のための一時一時記憶部２５により一時記憶され、表示処理部３１を経て表示用デバイスでＰＩＰ画面に映像が表示される。
【００３８】
第４の使用形態は、表示画面上に２つのＰＩＰ画面を表示させる操作である。この説明において、特に説明のない部分は第１の使用形態と同じである。
初めに、第１の使用形態のようにして、外部機器３Ａから出力される映像信号をＰＩＰ画面に表示しているとする。
ユーザは表示中のＰＩＰ画面に加えて、別のＰＩＰ画面を更に表示をするため、図９（ａ）に示すように、表示中のＰＩＰ画面とは異なる領域に四角形または斜めの対角線を描いた。図９（ａ）に示す場合は、ＰＩＰ画面が既に表示画面の右下に表示されていて、ユーザは表示画面の左上に別のＰＩＰ画面を表示させるため四角形または斜めの対角線を描いた。タッチパネル２９の操作情報は中央演算部２１から制御装置１に送信される。制御装置１ではタッチパネル操作処理部１５が操作位置座標を検出し、また操作図形を認識する。この操作位置座標及び操作図形情報は、中央演算部１１により、内部記憶部１２のタッチパネル操作情報記憶部１２ａに記憶される。
【００３９】
次に、制御装置１の中央演算部１１は、タッチパネル搭載モニタ２の内部記憶部２２にあるＰＩＰ設定情報記憶部２２ａから現在のＰＩＰ設定情報を取得する。そして、制御装置１の中央演算部１１は、操作情報と現在のＰＩＰ設定情報に基づき、次に設定する内容のシリアルコマンドを生成し、タッチパネル搭載モニタ２に送信する（図９（ｂ）参照）。この場合に生成されるシリアルコマンドは、
「タッチパネルの操作情報が表示画面の左上に四角形又は対角線を描画であり、ＰＩＰ設定情報が画面右下にＰＩＰ画面を表示であるので、シリアルコマンドは表示画面左上にＰＩＰ画面を設定する」
である。
次に、新たにＰＩＰ画面に表示する映像ソースを表示優先順情報記憶部１２ｄより優先順に取得する。もし、先に表示中のＰＩＰ画面が優先順１のソースである場合、追加して別に表示されるＰＩＰ画面の映像ソースは、優先順２のソースが表示される。また先に表示中のＰＩＰ画面の映像ソースが優先順２である場合、追加して別に表示されるＰＩＰ画面の映像ソースは、それより優先順が高い優先順１のソースが表示される。しかし、先に表示中のＰＩＰ画面の映像ソースが優先順２のソースである場合、追加して別に表示されるＰＩＰ画面の映像ソースは、優先順３のソースを表示するように設定することも可能である。このような優先順の決定フローは図１４を使用して説明する。
優先順の高い映像ソースがタッチパネル搭載モニタ２のコンテンツ情報記憶部２２ｂに記憶されているコンテンツである場合は、そのコンテンツを読み出して、表示用デバイスにより表示する。
【００４０】
しかし、外部機器３Ｂにあるソースの場合は、外部機器電源制御情報記憶部１２ｃの電源情報に従い、外部機器制御部１６を制御する。即ち、読み出そうとする外部機器３Ｂの電源が外部機器電源制御情報記憶部１２ｃにより、オフ状態であるか否か判断し、オフ状態である場合は、外部機器制御部１６は、その外部機器３Ｂの電源をオンにする制御信号を出力する（図９（ｃ）参照）。外部機器制御部１６によって生成された電源オンの制御信号は外部機器３Ｂに送信され、その外部機器３Ｂの電源をオンにして、再生を開始させる。
このようにして、右下に優先順１のＰＩＰ画面が表示され、左上に優先順２のＰＩＰ画面が表示される。第４の使用形態において、２つのＰＩＰ画面を表示する場合を説明したが、勿論３つ以上のＰＩＰ画面を表示することも可能である。
【００４１】
第５の使用形態は、タッチパネル搭載モニタ２の表示画面が複数に分割され、分割された画面領域毎に映像ソースが予め設定されている場合の操作である。この説明において、特に説明のない部分は第１の使用形態と同じである。
画面の分割数は、予め設定しておいてもよいし、映像入力端子２６に接続される入力端子数に応じて設定してもよい。
図１０（ａ）に示すように、表示画面が４分割され、分割された領域ごとに予め表示すべき映像ソースが設定されている。画面の分割線はユーザに見えるように表示してもよいし、見えないようにしてもよいが、この実施形態では見えないとする。図１０の場合は、図１１に示すように、左上の領域１には入力１が設定され、右上の領域２には入力２が設定され、左下の領域３には入力３が設定され、右下の領域４には入力４が設定されているとする。このような設定は任意であり、また分割数も適宜設定することができる。
ここで、ユーザは右下の領域４にＰＩＰ画面を表示するため、図１０（ａ）に示すように、四角形または斜めの対角線を描いた。タッチパネル２９の操作情報は中央演算部２１から制御装置１に送信され、制御装置１ではタッチパネル操作処理部１５が操作位置座標を検出し、また操作図形を認識する。この操作図形を認識する際に、操作図形と分割領域の重なりが判断される。重なりの判断は図１３のフローにより説明する。なお画面の分割線が見える場合も、見えない場合もユーザの操作図形と、画面の分割領域は一致しない場合がある。その場合、重なりの面積によってユーザの操作領域を判断するとよく、２つ以上の領域に跨って重なる場合は、重なりの大きい面積の領域に、その領域に予め定められた入力ソースを表示する。
この操作位置座標及び操作図形情報は、中央演算部１１により、内部記憶部１２のタッチパネル操作情報記憶部１２ａに記憶される。この場合、右下の領域４の中に四角形または斜めの対角線が描かれたことを記憶する。
【００４２】
次に、制御装置１の中央演算部１１は、タッチパネル搭載モニタ２の内部記憶部２２にあるＰＩＰ設定情報記憶部２２ａから現在のＰＩＰ設定情報を取得する。そして、制御装置１の中央演算部１１は、操作情報と現在のＰＩＰ設定情報に基づき、次に設定する内容のシリアルコマンドを生成し、タッチパネル搭載モニタ２に送信する（図１０（ｂ）参照）。この場合に生成されるシリアルコマンドは、
「タッチパネルの操作情報が表示画面の右下に四角形又は対角線を描画であり、ＰＩＰ設定情報がＰＩＰ設定なしであるので、シリアルコマンドは表示画面の右下の領域４に
ＰＩＰ画面（入力４）を設定する」
である。
次に、ＰＩＰ画面に表示する映像ソース（入力４）を取得する。入力４がタッチパネル搭載モニタ２のコンテンツ情報記憶部２２ａに記憶されているコンテンツである場合は、そのコンテンツを読み出して、表示用デバイス３２で表示する。
しかし、外部機器３にあるソースの場合は、外部機器電源制御情報記憶部１２ｃの電源情報に従い、外部機器制御部１６を制御する。即ち、読み出そうとする外部機器３の電源が外部機器電源制御情報記憶部１２ｃにより、オフ状態であるか否か判断し、オフ状態である場合は、外部機器制御部１６は、その外部機器３の電源をオンにする制御信号を出力する（図１０（ｃ）参照）。外部機器制御部１６によって生成された電源オンの制御信号は外部機器３に送信され、その外部機器３の電源をオンにして、再生を開始する。
このようにして、右下の領域４に入力４のＰＩＰ画面を表示することができる。
もし、分割画面数より、映像ソースの数が多い場合、優先順の低い映像は画面の分割数の映像ソースが一巡表示された後、２回目以降の優先順に割当てて表示するようにするとよい。
【００４３】
以上のように構成され、使用される表示装置１は、以下に説明するフローチャートにしたがって動作する。ここでタッチパネル搭載モニタ２は、制御装置１の指示に従って動作するだけであり、以下にはフローチャートを用いて説明しない。
図１２は上記第１〜第４の使用形態のフローチャートを示す。
先ず第１の使用形態にフローチャートを説明する。本発明の表示装置が動作を開始し、表示画面に第１の映像を表示中に、若しくは第１の映像を表示していない場合に、ユーザがタッチパネル搭載モニタ２のタッチパネル２９に接触すると、タッチパネル２９の操作情報は入力Ｉ／Ｆ２８を介して中央演算部２１に送られ、文字コード若しくはバイナリーコードが生成される。この文字コード若しくはバイナリーコードはシリアル通信部２４を介して、制御装置１に送信される。
ステップＳ００１では、制御装置１がシリアル通信部１４を介してタッチパネル２９の操作情報を受信する。シリアル通信部１４、２４がパラレル通信方式である場合は、パラレル通信が行われる。タッチパネル２９の操作情報は、タッチパネル操作処理部１５が処理して、タッチパネル２９の操作位置座標を検出し、また操作図形を認識する。この操作位置座標及び操作図形情報は、中央演算部１１により、内部記憶部１２のタッチパネル操作情報記憶部１２ａに記憶される。
【００４４】
次に、ステップＳ００２では、タッチパネル操作処理部１５が認識した操作図形が四角形若しくは斜めの対角線であるか否かを判断する。第１の使用形態では、操作図形が四角形若しくは斜めの対角線であるので、ステップＳ０１３に進む。ステップＳ０１３では制御装置１の中央演算部１１が、タッチパネル搭載モニタ２に問合せ、内部記憶部２２のＰＩＰ設定情報記憶部２２ａから現在のＰＩＰ設定情報を取得する。
そして、ステップＳ０１４では、制御装置１の中央演算部１１は、現在のＰＩＰ設定情報がＰＩＰ画面を表示しているか否か判断する。ＰＩＰ画面を表示していない場合は、ステップＳ０２５に進む。ステップＳ０２５では、タッチパネル操作情報に従い、ＰＩＰ画面の表示位置及び大きさを指示するコマンドをタッチパネル搭載モニタ２に送信する。次にステップＳ０２６では、表示優先順情報記憶部１２ｄが図３（ｂ）に示す表示優先順情報に設定された優先順に従い、優先順１のソースを設定する。この優先順の決定については、図１４のフローチャートとともに説明する。この場合、優先順１は外部機器３Ａに接続される外部入力端子１である。上記ステップＳ０２５とＳ０２６の処理が、上記第１の使用形態で説明したシリアルコマンドの生成に相当する。
【００４５】
このようにして生成されたシリアルコマンドは、ステップＳ０１９で、入力を決定したソースの入力に切り換えるためのコマンドとしてタッチパネル搭載モニタ２に送信する。そのソースがタッチパネル搭載モニタ２のコンテンツ情報記憶部２２ｂに記憶された内部ソースである場合は、そのコンテンツを取得し、表示用デバイス３２にＰＩＰ画面を表示する。
次に、ステップＳ０２０では制御装置１は、ＰＩＰ画面の表示ソースが外部機器か否か判断する。つまり、図３（ｂ）に示すように、表示優先順情報から優先順１は外部機器３Ａに接続された外部入力端子１であることを取得する。このようにソースが外部機器３Ａである場合は、ステップＳ０２１で、その外部機器３Ａの電源が入っているか否か判断する。即ち、制御装置１の中央演算部１１が外部機器電源情報記憶部１２ｃからソースとして使用する外部機器３Ａの電源状態を図３（ａ）に示す外部機器電源情報から取得する。図３（ａ）の外部機器電源情報からソースとして使用する外部機器３Ａの電源が入っている場合は、ＹＥＳに進み、このフローの処理を終了する。
【００４６】
ソースとして使用する外部機器３Ａの電源が入っていない場合は、ステップＳ０２２に進み、その外部機器３Ａの電源を入れる制御を行う。即ち、外部機器制御部１６が、その外部機器３Ａの電源をオンにする制御信号を出力し、その制御信号を外部機器３Ａに送信して、電源をオンにする。
ステップＳ０２０でＰＩＰ画面の表示ソースが外部機器でない場合は、ＮＯに進み、このフローを終了する。またステップＳ０２１で、外部機器の電源が入っている場合（ＹＥＳ）はこのフローを終了する。
これにより、外部機器３Ａの再生が開始し、外部機器３Ａの再生映像はタッチパネル搭載モニタ２の映像入力端子１より入力され、表示用・表示処理用一時記憶部に一時記憶され、表示処理部３１を経て表示用デバイス３２によりユーザが領域を指示した箇所に、指示した大きさでＰＩＰ画面が表示される。
この表示の際に、ＰＩＰ設定情報部２２ａに記憶されたＰＩＰ設定情報に従って、各種処理部２７が映像処理する。即ち、映像信号処理２７ａは入力された映像信号をＲＧＢ信号若しくはＹＵＶ信号と、水平同期信号及び垂直同期信号に分離する。映像信号出力処理部２７ｂは入力された映像信号に対して、時間的・空間的にフィルタリング等を行い、映像に変更を加える。スケーリング処理部２７ｃは、処理を加えた映像信号を設定された拡大率を以って拡大又は縮小する。
【００４７】
次に、第４の使用形態について説明する。
図１２のフローチャートにおいて、ステップＳ００１、Ｓ００２、Ｓ０１３、Ｓ０１４は、上記説明と同じである。ステップＳ１４で、ＰＩＰ画面が表示されている場合は、ステップＳ０１５に進み、以下に説明するように第４の使用形態の処理が実施される。
ステップＳ０１５では、制御装置１の中央演算部１１は、制御装置１のタッチパネル操作情報記憶部１２ａに記憶されている操作情報と、タッチパネル搭載モニタ２のＰＩＰ設定情報記憶部２２ａに記憶されているＰＩＰ設定情報が重なっているか否か判断する。即ちユーザが描画した四角形と、ＰＩＰ画面の表示位置が重なっているか否か判断する。このようにして、重複判断部が機能する。この重複判断のフローは図１４により後述する。
第４の使用形態は、図９に示すように、ＰＩＰ画面の表示画面と、ユーザの操作画面が一致せず複数の映像を表示する場合であるので、ステップＳ０１５ではＮＯへ進み、ステップＳ０２３の処理を実施する。ステップＳ０２３は、タッチパネル操作情報に従い、ＰＩＰ画面の表示位置及び大きさを指示するコマンドをタッチパネル搭載モニタ２に送信する。次にステップＳ０２４では、制御装置１は図３（ｂ）に示すように表示優先順情報により、表示優先順情報記憶部１２ｄに設定された優先順に従い、優先順２のソースを設定する。この優先順の決定フローは、図１５により説明する。上記ステップＳ０２５とＳ０２６の処理が、上記第１の使用形態で説明したシリアルコマンドの生成に相当する。
その後は、上記と同様にステップＳ０１９〜Ｓ０２２へ進む。
これにより、２つのＰＩＰ画面が表示される。
【００４８】
次に第３の使用形態について説明する。
図１２のフローチャートにおいて、ステップＳ００１、Ｓ００２、Ｓ０１３〜Ｓ０１５は、上記第４の使用形態と同じである。ステップＳ１５で、ユーザが描画した四角形と、ＰＩＰ画面の表示位置が重なっている場合は、ステップＳ０１６へ進む。ステップＳ０１６では、設定されているソースを取得する。次にステップＳ０１７では図３（ｂ）に示す表示優先順情報と、図５（ｃ）に示す再生情報に基づいて再生ソースを設定する。次にステップＳ０１８では設定されていたソースを解除する。
その後は、上記と同様にステップＳ０１９〜Ｓ０２２へ進み、同様の処理が実施される。
これにより、ＰＩＰ画面の表示が入れ替る。
【００４９】
次に第２の使用形態について説明する。
図１２のフローチャートにおいて、ステップＳ００１、Ｓ００２は、上記第１の使用形態と同じである。ステップＳ００２において、操作情報が四角形若しくは対角線でない場合、ステップＳ００３へ進む。ステップＳ００３では操作情報が×印か否か判断する。即ち、制御装置１のタッチパネル操作処理部１５が操作情報の図形認識する。×印でない場合は、この表示装置に定義されていない図形であるので、このフローの処理を終了する。×印以外に、レ、−、ＰＩＰ画面を表示画面外に移動させる場合も同様の処理が実施される。×印であると判断した場合はステップＳ００４へ進み、現在のＰＩＰ設定情報をタッチパネル搭載モニタ２のＰＩＰ設定情報部２２ａから取得する。取得するＰＩＰ設定情報は図３（ａ）に示した通りである。次にステップＳ００５では、取得したＰＩＰ設定情報からＰＩＰ画面が表示されているか否か判断する。ＰＩＰ画面が表示されていない場合はこのフローの処理は必要ないので、終了する。
【００５０】
ＰＩＰ画面が表示されている場合は、ステップＳ００６へ進み、×印と、ＰＩＰ画面の表示位置が重なっているか否か判断する。重なっていない場合はこのフローの処理は必要ないので、終了する。×印と、ＰＩＰ画面の表示位置が重なっている場合は、ステップＳ００７へ進み、ＰＩＰ画面の表示解除するコマンドを送信する。このように、ステップＳ００７は、表示解除入力部として機能する。
次にステップＳ００８では設定されているソースを取得する。ステップＳ００９で、設定されていたソースを開放し、ステップＳ０１０では、ＰＩＰ画面の表示ソースが外部機器か否か判断する。外部機器でなければ、このフローの処理は終了する。ソースが外部機器である場合は、ステップＳ０１１へ進み、その外部機器の電源が入っているか否か判断する。外部機器の電源が入っていない場合はこのフローの処理を終了する。外部機器の電源が入っている場合は、ステップＳ０１２で、外部機器の電源を切る制御を実施する。そして、このフローの処理を終了する。
【００５１】
次に第５の使用形態を図１３のフローチャートにより説明する。
第５の使用形態は、表示画面が予め複数の表示領域に分割され、その分割された領域ごとに予め表示すべき再生ソースが設定されている場合である。即ち、描画位置と再生ソースは、図１１に示す設定表のように設定されている。従ってこのフローチャートは、表示画面が予め複数に分割され、その分割された領域ごとに再生すべきソースが設定されている場合に、例えばモード切り換えられて、処理されるフローである。
このフローチャートにおいて、特徴的な部分はステップＳ１２３及びＳ１２４である。その他のステップは、図１２に示したフローチャートと同じ処理を実施するステップであり、この図１２では図１２の各ステップの番号に１００を加えて表示している。
ステップＳ１２３は、ステップＳ１１４又はＳ１１５の処理がＮＯである場合に実施される処理であり、ステップＳ１２３では、タッチパネル操作情報に従い、ＰＩＰ画面の表示位置及び大きさを指示するコマンドをタッチパネル搭載モニタ２に送信する。次にステップＳ１２４では図１１に示すように描画位置と再生ソースの設定表に従い、ソースを設定する。即ち、描画位置が左上は入力１であり、描画位置が左下はソース２であり、描画位置が右上はソース３であり、描画位置が右下はソース４である。その後、ステップＳ１１９に進み、上記使用形態１、３、４の説明と同様の処理が実施される。
これにより、予め分割した描画位置に、設定した再生ソースをＰＩＰ画面として表示することができる。
【００５２】
次に、上記ステップＳ０１５、Ｓ１１５及びＳ００６で説明したＰＩＰ画面と、ユーザの操作情報の重複重判断するフローを、図１４を参照して説明する。
ステップＳ２０１では、ＰＩＰ画面として表示中の画面の横座標を、タッチパネル搭載モニタ２のＰＩＰ設定情報記憶部２２ｂから取得する。次にステップＳ２０２ではステップＳ２０１では、ユーザがタッチパネルに描画し、タッチパネル操作処理部１５により処理され、タッチパネル操作情報記憶部１２ａに記憶されているユーザの操作情報から横座標を取得し、ステップＳ２０１で取得したＰＩＰ画面の横座標との重なりを算出する。
ステップＳ２０３では、同様にＰＩＰ画面の縦座標を取得する。ステップＳ２０４では、上記ステップＳ２０２と同様に処理して、ユーザの操作情報から縦座標を取得し、ステップＳ２０３で取得したＰＩＰ画面の縦座標との重なりを算出する。
そして、ステップＳ２０５で、ステップＳ２０２とＳ２０４の算出結果より、横座標の重なりの長さと、縦座標の重なりの長さを乗算して、重なり部分の面積を算出する。次に、ステップＳ２０６では、その重なりが５０％以上か否か判断する。５０％以上であれば、重なっていると判断する。しかし、５０％以下である場合は、重なっていないとして判断する。ここでは重なりを５０％で判断したが、表示装置の使用状況に応じて、重なりを３０％以上としてもよいし、７０％以上としてもよい。
【００５３】
次に、上記ステップＳ０１７、Ｓ０２４、Ｓ０２６及びＳ１１７で説明した映像ソースの優先順を設定するフローを、図１５を参照して説明する。
ステップＳ３０１では、優先順を設定する初期変数Ａを１に設定する。次にステップＳ３０２では、図３（ｂ）に設定されている表示優先情報を取得する。そして、次にステップＳ３０３では、優先順Ａのソースは使用中か否か判断する。使用中でなければ、そのソースは優先順が高いので、ステップＳ３０４に進み、ステップＳ３０４で、優先順Ａのソースを再生ソースに設定する。
ステップＳ３０３で、優先順Ａのソースが使用中でなければ、ステップＳ３０６で、最後のソースまで確認したか否か判断される。最後まで確認していない場合は、ステップＳ３０７で、変数Ａに１を加算して、ステップＳ３０３に戻り、この処理を繰り返す。ステップＳ３０６で最後まで確認した場合はこの処理を終了する。
【００５４】
以上の説明では、タッチパネル搭載モニタを使用し、ユーザはタッチパネルを使用して映像の表示位置及び大きさを指示した。しかし、タッチパネル搭載モニタに代えて、タッチパネルのないモニタのみの表示装置或いはモニタを使用し、入力装置を表示装置或いはモニタ又は制御装置１に接続して、入力装置より映像の表示位置及び大きさを指示するようにしても本発明を実施することができる。この場合、制御装置１のタッチパネル操作処理部１５は入力処理部に代え、この入力処理部が入力装置から入力された座標を検出し、図形認識するとよい。
入力装置としては、例えばマウス、ポインティングデバイス、ポインタを使用することができる。このように座標入力することができる入力装置であれば、本発明の入力装置として使用することができる。従って、例えば、空港の案内板や表示板に、ユーザが操作できるように入力装置が設置されている場合は、その入力装置を使用して案内板や表示板にＰＩＰ画面を表示させるように使用することができる。
【図面の簡単な説明】
【００５５】
【図１】この発明の表示装置のブロック図である。
【図２】この発明の表示装置を構成する制御装置のブロック図である。
【図３】この発明の表示装置を構成する制御装置の内部記憶部に記憶される外部機器電源情報と、表示優先順情報を示す図である。
【図４】この発明の表示装置を構成するタッチパネル搭載モニタのブロック図である。
【図５】この発明の表示装置を構成する制御装置の内部記憶部に記憶されるＰＩＰ設定情報と、コンテンツ情報と、再生情報を示す図である。
【図６】この発明の表示装置の第１の使用形態を説明する図である。
【図７】この発明の表示装置の第２の使用形態を説明する図である。
【図８】この発明の表示装置の第３の使用形態を説明する図である。
【図９】この発明の表示装置の第４の使用形態を説明する図である。
【図１０】この発明の表示装置の第５の使用形態を説明する図である。
【図１１】第５の使用形態において、分割領域と、入力の関係の設定表を示す図である。
【図１２】この発明の表示装置の第１〜第４の使用形態を説明するフローチャート図である。
【図１３】この発明の表示装置の第５の使用形態を説明するフローチャート図である。
【図１４】この発明の表示装置の動作において、描画の重なりを判断する場合のフローチャート図である。
【図１５】この発明の表示装置の動作において、再生ソースの設定をする場合のフローチャート図である。
【符号の説明】
【００５６】
１  制御装置
２  タッチパネル搭載モニタ
３  外部機器
１１  中央演算部
１５  タッチパネル操作処理部
１６  外部機器制御部
２１  中央演算部
２５  表示用・表示処理用一時記憶部
２６  映像入力端子
２７  各種処理部
２９  タッチパネル
３１  表示処理部
３２  表示用デバイス
【図１】
2009109742.tif 000003
【図２】
2009109742.tif 000004
【図３】
2009109742.tif 000005
【図４】
2009109742.tif 000006
【図５】
2009109742.tif 000007
【図６】
2009109742.tif 000008
【図７】
2009109742.tif 000009
【図８】
2009109742.tif 000010
【図９】
2009109742.tif 000011
【図１０】
2009109742.tif 000012
【図１１】
2009109742.tif 000013
【図１２】
2009109742.tif 000014
【図１３】
2009109742.tif 000015
【図１４】
2009109742.tif 000016
【図１５】
2009109742.tif 000017